(57)【要約】【課題】有効な情報資産運用が可能な電子化出版物の表示方法を提供する。【解決手段】サーバから配信された電子化出版物及びこの電子化出版物を表示するためのビュアプログラムを端末装置で受信し、受信されたビュアプログラムに基づいてコンピュータが電子化出版物を表示する電子化出版物の表示方法であって、電子化出版物は、ページ毎に割り付けられた文字情報及び画像情報を含む印刷物用の解像度を有するページデータと、ページ毎にページデータにリンクされた表示用ページデータのピクセルサイズ情報とを有し、ビュアプログラムに基づいてコンピュータが表示用ページデータのピクセルサイズ情報で指定されたサイズで表示用ページデータを表示する。【選択図】図１
2011204245.tif 000002
【特許請求の範囲】
【請求項１】
ユーザの要求に応じてサーバから配信された電子化出版物及びこの電子化出版物を表示するためのビュアプログラムを端末装置で受信し、前記受信されたビュアプログラムに基づいてコンピュータが前記電子化出版物を表示する電子化出版物の表示方法であって、
前記電子化出版物は、ページ毎に割り付けられた文字情報及び画像情報を含むページデータと、前記ページ毎に前記ページデータにリンクされた表示用ページデータのピクセルサイズ情報とを有し、
前記ビュアプログラムに基づいて前記コンピュータが前記表示用ページデータのピクセルサイズ情報で指定されたサイズで前記表示用ページデータを表示する
ことを特徴とする電子化出版物の表示方法。
【請求項２】
前記電子化出版物は、ヘッダとページデータとを有するデータファイルからなり、
前記ヘッダは、ファイルバージョンを示すバージョンデータと、前記データファイルの内容を示すコンテンツデータとを有し、
前記ページデータは、文字情報と、静止画情報と、動画情報と、これら文字情報、静止画情報及び動画情報の割付位置を示す割付位置情報と、音声情報と、前記文字情報、静止画情報及び動画情報の表示用ピクセルサイズを示す表示用ピクセルサイズ情報とを有する
ことを特徴とする請求項１記載の電子化出版物の表示方法。
【請求項３】
前記ページデータは、前記ページ毎に前記ページデータにリンクされた表示用サムネイルデータのピクセルサイズ情報を更に有し、
前記ビュアプログラムに基づいて前記コンピュータが前記表示用サムネイルデータのピクセルサイズ情報で指定されたサイズで前記表示用サムネイルデータを表示する
ことを特徴とする請求項１又は２記載の電子化出版物の表示方法。
【請求項４】
前記ビュアプログラムに基づいて前記コンピュータが出版物のイメージを表示し、
ページめくり操作情報に基づいて前記コンピュータが前記出版物のイメージを画面転換処理する
ことを特徴とする請求項１〜３のいずれか１項記載の電子化出版物の表示方法。
【請求項５】
入力部を介して入力されたページ毎の用紙の厚さを指定する情報に応じて前記コンピュータが前記出版物のイメージを画面転換処理する
ことを特徴とする請求項４記載の電子化出版物の表示方法。
【請求項６】
入力部を介して入力された入力情報に基づき前記表示された表示用ページデータの拡大表示すべきエリアのイメージを指定し、
前記指定されたエリアの表示用ページデータを前記コンピュータが拡大表示する
ことを特徴とする請求項１〜５のいずれか１項記載の電子化出版物の表示方法。
【請求項７】
前記電子化出版物の表示用ページデータを表示する１台以上のホストコンピュータと複数台のクライアントコンピュータとがネットワークを介して結合されたネットワークシステムを使用し、
前記ホストコンピュータと前記各クライアントコンピュータとは、前記各クライアントコンピュータに表示されている又は表示されるべき前記電子化出版物の表示用ページデータの情報を、前記ネットワークを介して相互に伝送し、
前記ホストコンピュータは、前記クライアントコンピュータで表示されている又は表示されるべき前記電子化出版物の表示用ページデータの情報を表示する
ことを特徴とする請求項１記載の電子化出版物の表示方法。
【発明の詳細な説明】
【技術分野】
【０００１】
この発明は、例えば印刷出版物の作成過程で生成される情報資産の有効利用等を目的とした電子化出版物の表示方法に関し、特にページ毎に文字情報、静止画情報、動画情報及び音声情報等を割付処理する際のユーザインターフェイスに関する。
【背景技術】
【０００２】
近年のディジタル化の流れに伴い、例えば印刷出版物生産プロセスにおいても、版下工程を無くしディジタルデータから直接フィルムや刷版を出力するいわゆるプリプレス（Ｐｒｅｐｒｅｓｓ：以下、「ＰＰ」と呼ぶ）工程のＤＴＰ（Ｄｅｓｋ  Ｔｏｐ  Ｐｕｂｌｉｓｈｉｎｇ）化及び刷版工程のＣＴＰ（Ｃｏｍｐｕｔｅｒ  ｔｏ  Ｐｌａｔｅ）化の流れが著しく進展している。特に、ＤＴＰ化の進展は、ＰＰ工程におけるデザイン、版下、製版等の画像処理作業を高度な画像処理作業へと移行する一方で、印刷出版物生産プロセス全体の簡略化を促進するという変革をもたらしている。また、ＣＴＰ化の進展は、ＰＰ工程での最終出力物であったフィルム出力を直接ディジタル刷版データとして出力するという方法で、製版フィルム等の資源の節約を可能としている。更に、ＰＰ工程からダイレクト印刷工程へと移行する時代も始まり、製版・印刷工程の合理化を促進するという効果が実現され始めている。
【０００３】
このような印刷出版物生産プロセスのディジタル化の流れの中、特にＰＰ工程のディジタル化は顕著であり、現在、ＤＴＰシステムは最も普及したものとなった。
【０００４】
ＰＰシステムは、ＤＴＰシステム、ＲＩＰ（Ｒａｓｔｅｒ  Ｉｍａｇｅ  Ｐｒｏｃｅｓｓｏｒ）及びその出力装置等から構成される。ＰＰシステムは、文字・画像等の編集／出力を総合的に行うように構築されたものである。印刷用刷版システムは、ＰＰシステムから出力された刷版データに基づき刷版を作成するように構築されたものである。
【０００５】
ＤＴＰシステムは、例えばパーソナルコンピュータ（以下、「ＰＣ」とする）やワークステーション（以下、「ＷＳ」とする）から構成され、内部にＤＴＰアプリケーション・ソフトウェアを使用する。ＲＩＰは、このＤＴＰアプリケーション・ソフトウェアで作成されたデータに基づきラスタイメージデータを生成する。更に、ＰＰシステムには、ＲＩＰからのラスタイメージデータを記憶するハードディスク及び／又はＭＯドライブ等の記憶装置等が備えられている。ＰＰシステムからのイメージデータは、本のページを構成するように面付処理部で割り付けられて面付データとなる。この面付処理部で作成された面付データが印刷用刷版システムに送られて、刷版データ等となる。
【０００６】
このように構成されたシステムのＤＴＰシステムでは、グラフィックデザイナ等のオペレータがＰＣ及び／又はＷＳを用いて文字や画像の作成・編集等を行うと、その文字や画像のデータを、例えばポストスクリプト（ＰｏｓｔＳｃｒｉｐｔ：Ａｄｏｂｅ社の登録商標、以下、「ＰＳ」とする）等のページ記述言語（Ｐａｇｅ  Ｄｅｓｃｒｉｐｔｉｏｎ  Ｌａｎｇｕａｇｅ：ＰＤＬ）で表現したいわゆるレイアウトデータが作成される。このレイアウトデータは、文字入力や画像スキャニング、作図・イラスト作業等で得られたディジタルデータをページ単位毎のデザインレイアウトとしてまとめたものである。このレイアウトデータは、ＲＩＰにおいてビットマップ形式やランレングス形式のラスタイメージデータ（画像データ）に変換される。
【０００７】
ＲＩＰで作成されたラスタイメージデータは、割付処理部においてページ単位毎のラスタイメージデータが印刷物に印刷される状態で割り付けられた面付データとなる。この面付データをイメージセッタがフィルム出力する。なお、この形態は、いわゆる「ＲＩＰ後面付処理」という処理に該当するが、まず１ページ毎のレイアウトデータの面付処理を行い、その後にＲＩＰでラスタイメージデータにしてイメージセッタによりフィルム出力する、いわゆる「ＲＩＰ前面付処理」という処理を行う場合もある。但し、「ＲＩＰ前面付処理」という処理は、校正作業において不具合があった場合には、面付データの修正等をＤＴＰアプリケーション・ソフトウェアの段階からやり直さなければならないため、無駄な印刷材料・作業時間等がかかるという問題がある。
【０００８】
なお、この割付処理部では、例えば特開平１０−３１９５６７号公報に開示されている印刷物のページ割付方法等のように、表裏各面をいわゆるぺら状態で表示して、各ページのイメージデータを、折り加工や断裁加工等をしたときに、正確に製本されるようにページ毎のラスタイメージデータの向きや大きさを決定して一つ一つ割り付けて面付データを作成する処理等が行われる。また、特開平９−１８５６０６号公報に開示されている印刷表示装置等のように、イメージセッタから出力する前に、作成した面付データを実際の本の形状に表示して印刷実行前に所望のレイアウト等が得られるかどうかの確認をすることも行われる。この際、イメージセッタは、この面付データに基づき印刷材料等にラスタイメージデータを出力した製版フィルムを作成する。
【０００９】
なお、従来は、ＰＰシステムのＲＩＰはイメージセッタに一対一で接続されていた（いわゆる「１ＲＩＰ１ＯＵＴ方式」）が、近年は、ＲＩＰからのラスタイメージデータを、例えば一般的な画像ファイルのうちのＴＩＦＦ形式ファイルとして取り出すことが可能となったため、ＲＩＰをイメージセッタのみならず複数の出力機（カラープリンタ、製版フィルム出力機及びＣＴＰ出力機等）に接続し（いわゆる「ＩＲＩＰマルチＯＵＴ方式」）、ＲＩＰからのラスタイメージデータを様々な形態で出力できるようになってきた。
【先行技術文献】
【特許文献】
【００１０】
【特許文献１】特開平１０−３１９５６７号公報
【特許文献２】特開平９−１８５６０６号公報
【発明の概要】
【発明が解決しようとする課題】
【００１１】
しかしながら、上述したようなシステムにおいては、折角、ＰＰシステムのＲＩＰからＴＩＦＦ形式のデータを取り出すことができるようになり、複数の出力機に使用することができるようになったにもかかわらず、それ以外の用途では、殆どＲＩＰからのラスタイメージデータは有効に使われていないのが現実である。なぜなら、ＤＴＰシステムで時間と労力をかけて作成されたレイアウトデータは、基本的には制作品毎に異なるいわゆる一品ものなので、そのレイアウトデータに基づきＲＩＰで生成されたラスタイメージデータを他に流用することは当初から念頭になく、また、データ交換の問題等から他分野・他業界での利用が停滞したままであり、殆どの場合、記憶装置や記憶媒体に保存・蓄積したまま放置されているか、又はそのまま削除されているというのが現状である。また、このような印刷出版物を前提としたラスタイメージデータは、本文の文字等が小さく、そのまま電子化された出版物に適用しようとすると、文字等が判別できないことがある。このことは、有効な情報資産運用の妨げになるという問題がある。
【００１２】
この発明は、このような問題点に鑑みてなされたもので、有効な情報資産運用が可能な電子化出版物の表示方法を提供することを目的とする。
【課題を解決するための手段】
【００１３】
この発明に係る出版物作成方法は、出版物のイメージを表示するステップと、画像転換操作情報に基づいて前記出版物のイメージを画像転換処理して変化させるステップと、前記出版物に割り付ける（レイアウト）べきページ単位のラスタイメージデータを取り込むステップと、前記画面転換操作情報に基づいて選択された前記出版物のページのイメージに、割付操作情報に基づいて選択されたラスタイメージデータを重ねて表示するステップと、前記選択されたページと選択されたページのラスタイメージデータとを関連付けて出版物を生成するステップとを有することを特徴とする。
【００１４】
前記画面転換操作情報は、ページめくり操作情報であり、画像転換処理は、ページめくり処理であることがリアリティーを向上させる上で望ましいが、これらは左右又は上下へのいわゆる幕引きによったり、フェードイン、フェードアウトなどによる画面遷移を実現する画面転換操作情報や画像転換処理であっても良い。
【００１５】
なお、ここで言う出版物とは、本、カタログ、ブローシャ、広告物、マニュアル及びアルバム等の紙（印刷物）及び電子化された冊子（電子化出版物）全般を意味するものである。また、前記ページ単位のラスタイメージデータは、好ましくは印刷工程でラスタイメージプロセッサから出力されるラスタイメージデータ又はスキャナ、カメラ等のイメージングデバイスから取り込まれるラスタイメージデータである。
【００１６】
また、前記ラスタイメージデータは、所定の解像度の第１のイメージデータとこれとリンクする前記第１のイメージデータと解像度が異なる（例えば第１のイメージデータよりも低解像度の）第２のイメージデータとを各ページ毎に備えたものであり、前記選択された出版物のページのイメージに重ねて表示されるラスタイメージデータは、前記第２のイメージデータであることが望ましい。
【００１７】
前記出版物を生成するステップは、前記第１のイメージデータを用いて印刷物を生成するステップを含んでも良い。
【００１８】
前記出版物は、好ましくは電子化された出版物である。
【００１９】
前記出版物に割り付ける動画情報、音声情報及びコマンド情報の少なくとも１つを取り込むステップを有することが望ましい。
【００２０】
前記電子化された出版物を、それを表示するためのビュアプログラムと共に記録媒体に記録するステップを更に備えるものであればなおさら良好である。ここで、ビュアプログラムには、再編集又は付加可能なエディタ機能付きのものも含む。また、記録媒体には、その他の付加情報を記録しておいても良い。この付加情報には、メモ、日付、作者、プロダクトＩＤ及び著作権等のライセンス情報等が含まれる。
【００２１】
また、好ましくは前記選択されたページと選択されたラスタイメージデータとを関連付けて面付データを生成するステップと、前記生成された面付データに基づいて前記第１のイメージデータを用いて印刷製版用のデータファイルを生成するステップとを更に備えるものである。
【００２２】
そして、好ましくは前記面付データを生成する際に印刷工程情報を生成するステップと、このステップで生成された印刷工程情報から印刷工程管理用のファイルを生成するステップとを更に備える。
【００２３】
前記出版物に割り付けるべきラスタイメージデータは、例えば元原稿のテキストデータに基づいて作成されたページ記述言語ファイルをラスタイメージプロセッサによって変換したものである。この場合、前記ラスタイメージデータをＯＣＲ処理して変換後テキストデータを生成するステップと、このステップによって生成された変換後テキストデータと、前記ラスタイメージデータの元のページ記述言語ファイルと、前記元原稿のテキストデータとを比較して前記ＯＣＲ処理で発生した変換誤字を修正すると共に、前記ラスタイメージデータにおける各文字の配置情報を取得し、この配置情報から初校及び再校のラスタイメージデータの差異比較を行ってディジタルデータチェックを行うステップとを更に備えることが望ましい。また、再校及び再々校のラスタイメージデータの差異比較も可能である。
【００２４】
好ましくは前記ページ操作情報に基づいて選択された前記出版物のページのイメージに、前記割付操作情報に基づいて、そのページに割り付けられるラスタイメージデータに対応した動画情報、音声情報及びコマンド情報の少なくとも１つを割り付けるステップを更に備える。
【００２５】
なお、この発明に係る媒体は、このような特徴を有する出版物作成方法を実行するプログラムを記録してなるものである。
【００２６】
この発明に係る出版物は、上記のような特徴を有する出版物作成方法を実行して得られた電子化されたものである。
【００２７】
この発明に係る表示方法は、上記のような特徴を有する出版物作成方法を実行して得られた電子化された出版物のイメージを表示するステップと、画面転換操作情報に基づいて前記出版物のイメージを画像転換処理するステップとを備えたことを特徴とする。
【００２８】
また、この発明に係る表示方法は、上記のような特徴を有する出版物作成方法を実行して得られた電子化された出版物のイメージを表示するステップと、ページ操作情報に基づいて前記出版物のイメージを用紙の厚さに応じたページめくり動作に模写させて変化させるステップとを備えたことを特徴とする。
【００２９】
更に、この発明に係る表示方法は、上記のような特徴を有する出版物作成方法を実行して得られた電子化された出版物のイメージを表示するステップと、このステップで表示された出版物のイメージのうち拡大表示すべきエリアを指定するステップと、このステップで指定されたエリアのイメージを拡大して表示するステップとを備えたことを特徴とする。
【００３０】
この発明に係る表示方法は、印刷工程でラスタイメージプロセッサから出力されるラスタイメージデータを用いて作成された電子化された出版物のイメージを表示するステップと、このステップで表示された出版物のイメージのうち、拡大表示すべきエリアを指定するステップと、このステップで指定されたエリアのイメージを拡大して表示するステップとを備えたことを特徴とする。
【００３１】
この発明に係るネットワークシステムは、上記出版物作成方法にて作成された電子化された出版物を記憶媒体からロードして、前記ラスタイメージデータが各ページに割り付けられた出版物のイメージを表示する１台以上のホストコンピュータと複数台のクライアントコンピュータとがネットワークを介して結合されたネットワークシステムであって、前記ホストコンピュータと前記各クライアントコンピュータとは、前記各クライアントコンピュータに表示されている又は表示されるべき前記出版物のページの情報を、前記ネットワークを介して相互に伝送し、前記ホストコンピュータは、前記各クライアントコンピュータで表示されている又は表示されるべき前記出版物のページのイメージを複数のクライアント分縮小して並べて表示するものであることを特徴とする。この場合、縮小されたイメージは、拡大表示するようにしても良い。
【００３２】
この発明に係る出版物の配信方法は、ネットワークを介して与えられた配信要求に応答して、上記電子化された出版物を配信するステップと、ネットワークを介して与えられた配信要求に応答して、前記電子化された出版物を表示するためのビュアプログラムを配信するステップとを備えたことを特徴とする。また、この発明の他の出版物の配信方法は、データ配信又は放送等のネットワークを介して前記電子化された出版物及び／又はその電子化された出版物を表示するためのビュアプログラムを配信するステップを備えたことを特徴とする。
【発明の効果】
【００３３】
この発明によれば、ラスタイメージデータのみならず、文字、静止画、動画及び音声等の情報を、例えば、実際の出版物の形態で表示されたイメージの各ページに割り付けることができると共に、同時に面付データを作成することができる。このため、割付処理の操作が簡単となり、例えば、見開き状態での割付データの配置状況の確認が容易で、且つ見開きページに跨る画像等の割付を容易にすること等が可能となる。また、ページに割付処理を行うと同時にページ単位毎に面付処理が行われるため、出版物の作成作業の短縮化を図ることができ、出版物の作成ミスやコストを削減することができる。このため、特に、このような出版物の作成過程で生成された割付データや面付データを使用して、他の出版物を作成すれば、データの有効活用を図ることができると共に、出版物制作コストを抑えることが可能となる。
【００３４】
更に、このような出版物のうち、例えば電子化された出版物をネットワークシステムに用いることで、この出版物のイメージを表示するホスト及びクライアントコンピュータがネットワークを介して出版物のページ情報を任意のプロトコルを用いながら相互に伝送することができ、伝送されたページ情報に基づきホストコンピュータがクライアントコンピュータで表示されている又は表示されるべき出版物のページのイメージを複数のクライアント分縮小して並べて表示することができるため、１台以上のホストコンピュータと複数台のクライアントコンピュータとの同時双方向通信が可能となると共に、１台以上のホストコンピュータによる複数台のクライアントコンピュータの同時制御や確認が可能となる。
【図面の簡単な説明】
【００３５】
【図１】この発明の一実施形態に係る電子化出版物を作成する出版物作成方法を実現するための出版物作成システムの構成を模式的に示すブロック図である。
【図２】同システムのＤＴＰ処理部の内部を示すブロック図である。
【図３】同システムの編集処理部の内部構成の一部を示すブロック図である。
【図４】同面付処理部での面付処理を示すフローチャートである。
【図５】同割付処理部での割付処理を示すフローチャートである。
【図６】同システムの表示装置の表示画面上での割付処理を示す図である。
【図７】図６の割付処理後にページめくり動作を行った様子を示す図である。
【図８】同面付処理部での割付処理に伴い作成された面付データを示す図である。
【図９】本の形態で表示される出版物を構成するブック・データファイルの構成を示す図である。
【図１０】この発明の一実施形態に係るネットワークシステムの構成を示すブロック図である。
【図１１】同ネットワークシステムを用いた同期表示システムのイメージを示す図である。
【図１２】同ネットワークシステムを用いた案内システムのイメージを示す図である。
【図１３】同他のネットワークシステムの構成を示すブロック図である。
【図１４Ａ】ページめくりの表示に関する設定画面を示す図である。
【図１４Ｂ】ページめくりの表示例を示す図である。
【図１４Ｃ】ページめくりの他の表示例を示す図である。
【発明を実施するための形態】
【００３６】
以下、図面を参照して、この発明の好ましい実施形態を説明する。
【００３７】
図１は、この発明の一実施形態に係る電子化出版物を作成する出版物作成方法を実現するための出版物作成システムの構成を模式的に示すブロック図である。
【００３８】
この出版物作成システム５０は、例えば汎用のパーソナルコンピュータ（ＰＣ）やワークステーション（ＷＳ）からなり、表示部１と、ＤＴＰ処理部２と、入力部３と、編集処理部４と、データチェック部５と、ＯＣＲ変換処理部６と、ＲＩＰ７と、画像変換部８と、データベース（ＤＢ）３０とを備えて構成される。表示部１は、ＣＲＴ（Ｃａｔｈｏｄｅ  Ｒａｙ  Ｔｕｂｅ）ディスプレイやＬＣＤ（Ｌｉｑｕｉｄ  Ｃｒｙｓｔａｌ  Ｄｉｓｐｌａｙ）等を含み、例えばＤＴＰ処理部２からの画像情報等を表示部１の表示画面上に表示する。入力部３は、各種キー入力を行うキーボードや表示部１の表示画面上の画像・絵柄の位置入力及び指定等を行うポインティングデバイスのマウス等を含む。ＤＴＰ処理部２は、出版物作成システム５０を構成するＰＣやＷＳの内部機能の一部である。
【００３９】
このＤＴＰ処理部２は、図２に示すように、例えば演算処理を行うＣＰＵ１３と、ＯＳ（オペレーティングシステム）の一部が記憶されたＲＯＭ（Ｒｅａｄ  Ｏｎｌｙ  Ｍｅｍｏｒｙ）１４と、主にＣＰＵ１３の演算領域として用いられるメインメモリのＲＡＭ（Ｒａｎｄｏｍ  Ａｃｃｅｓｓ  Ｍｅｍｏｒｙ）１５とがバス１６を介して備えられており、外部装置等とのデータの送受信をこのバス１６を介して接続された入出力部１７で行っている。また、ＤＴＰ処理部２には、例えばＯＳやアプリケーション・ソフトウェア等が記憶されたハードディスク等からなる外部記憶装置１８が入出力部１７を介して接続されており、スキャナで読み取った画像データやキーボードから入力された原稿テキストデータ等の情報は、この外部記憶装置１８に格納される。また、このＤＴＰ処理部２は、読み込まれた画像データやテキストデータに基づきデザインオペレータ等がレイアウトの作成・編集等を行うと、その作成・編集データをＰＤＬに変換し、例えばＰＳ形式のＥＰＳ（Ｅｎｃａｐｓｌａｔｅｄ  ＰｏｓｔＳｃｒｉｐｔ）レイアウトデータを作成する。データベース１９は、このようにＤＴＰ処理部２で作成されるレイアウトデータ等に用いられるパラメータ等を格納している。
【００４０】
ＤＴＰ処理部２で作成されデータベース１９に格納されたレイアウトデータは、ＲＩＰ７に与えられる。ＲＩＰ７は、所定のアプリケーション・ソフトウェア等の処理によりＤＴＰ処理部２からのレイアウトデータに基づき、ラスタイメージデータの画像データを生成する。このＲＩＰ７で生成されるラスタイメージデータは、例えば印刷用の高解像度（３５０−２５４０ｄｐｉ程度）のＴＩＦＦデータ（第１のイメージデータ、以下、「ページデータ」という。）であり、このページデータは、編集処理部４と、ＯＣＲ変換処理部６と、画像変換部８とに与えられる。画像変換部８は、ＲＩＰ７からのページデータに基づき低解像度（３０−１５０ｄｐｉ程度）のＪＰＥＧ（Ｊｏｉｎｔ  Ｐｈｏｔｏｇｒａｐｈｉｃ  Ｅｘｐｅｒｔｓ  Ｇｒｏｕｐ）形式の表示用ページデータと表示用サムネイルデータを作成して編集処理部４に供給する（表示用ページデータと表示用サムネイルデータは第２のイメージデータを構成する）。ＯＣＲ変換処理部６は、ＲＩＰ７からのページデータにＯＣＲ変換を施し、変換後テキストデータと位置情報を生成する。なお、第２のイメージデータは、ＲＩＰ７から直接出力するようにしても良い。
【００４１】
編集処理部４は、ＲＩＰ７からのページデータと、画像変換部８からの表示用ページデータ及び表示用サムネイルデータに基づき、製版データ作成のための割付処理や面付処理等の編集処理を行う。更に、編集処理部４は、この生成された表示用ページデータを割り付けるために用いられる表示部１の表示画面上に実際の本の形態で表示されるホワイトページブック（本の内容が割り付けられていない状態の本、但し、地紋等の背景のイメージが割り付けられていても良い。また、以後の説明では、割り付け途中の本も「ホワイトページブック」と呼ぶ。）のデータファイルを生成する。この生成されたホワイトページブック・データファイルは、後述する割付処理の際にページ単位毎に被割付領域として用いられるものであり、割り付けられたホワイトページブック・データファイルに基づき面付データが作成される。なお、上記のページデータ、表示用サムネイルデータ及び表示用ページデータは、編集処理部４でリンク付けられて使用される。
【００４２】
この編集処理部４内では、入力部３からの指示に従いデータベース３０に蓄えられたデータやパラメータ等を参照しつつ、内部に設けられた面付処理部２０が面付データを作成する。更に、この編集処理部４は、面付処理部２０での面付処理の際に、入力部３等から入力され取得した印刷工程情報（印刷紙の大きさ、印刷用インキ情報、いわゆるぺら物の紙面の折り／断裁情報等）に基づき、自動的にＣＩＰ３（Ｉｎｔｅｒｎａｔｉｏｎａｌ  Ｃｏｏｐｅｒａｔｉｏｎ  ｆｏｒ  Ｉｎｔｅｇｒａｔｉｏｎ  ｏｆ  Ｐｒｅｐｒｅｓｓ，Ｐｒｅｓｓ  ａｎｄ  Ｐｏｓｔｐｒｅｓｓ）規格のＰＰＦ（Ｐｒｉｎｔ  Ｐｒｏｄｕｃｔｉｏｎ  Ｆｏｒｍａｔ）ファイルを作成する。なお、このＰＰＦファイルは、印刷、断裁、折り、製本工程等のデバイスコントロールに必要な管理情報を含むものであり、これに基づき、製版工程から情報管理の一元化を実現することができる。
【００４３】
データチェック部５は、ＯＣＲ変換処理部６からの変換後テキストデータ（位置情報を含む）と、ＤＴＰ処理部２に与えられた原稿テキストデータ及びＲＩＰ入力のＰＳデータとを比較し、ＯＣＲ変換処理部６でのＯＣＲ変換で発生した変換誤字を修正等する。即ち、データチェック部５は、変換後及び原稿テキストデータだけでなく、ＤＴＰ処理部２で作成されたレイアウトデータと、ＲＩＰ７で生成されたページデータをも利用し、ページデータに含まれる各文字の配置情報（ページ位置情報、行・桁情報、大きさ・方向情報等）を分析して取得し、この取得された配置情報に基づき初校と再校とのラスタイメージデータを差異比較してディジタルデータのデータチェックを行う。また、データチェック部５は、再校及び再々校のラスタイメージデータの差異比較も行うことができる。
【００４４】
次に、編集処理部４の内部構成について説明する。
図３は、編集処理部４の内部構成の一部を示すブロック図である。編集処理部４は、主にイメージ処理部９と、ビュア付加部１０と、割付処理部１１と、媒体作成部１２と、面付処理部２０とを備える。イメージ処理部９は、上述したホワイトページブック・データファイルを表示部１の表示画面上に本の形態で表示するようにイメージ表示処理を行う。ビュア付加部１０は、ホワイトページブック・データファイルに所定のビュア・アプリケーション・ソフトウェア等を付加し、ホワイトページブック・データファイルに基づき作成された面付データと共に、どのハードウェアでも本の形態でこれらを閲覧することができるようにする。割付処理部１１は、ホワイトページブック・データファイルの各ページに、文字情報、静止画情報、動画情報及び音声、音楽、ＭＩＤＩデータ等の音声情報等の各種情報を割り付ける処理をする。媒体作成部１２は、割付処理部１１で各種情報が割り付けられたホワイトページブック・データファイルを、例えばＣＤ−ＲＯＭ或いはＤＶＤ等の記憶媒体に記録し、これらの媒体を作成する処理をする。面付処理部２０は、上述したように、面付データを作成する処理を行うため、ここでの説明は割愛する。なお、この編集処理部４は、例えば動画や音声等のデータを本のイメージで表示されたホワイトページに割り付ける場合、割付処理部１１の割付処理により、本のイメージで表示されたホワイトページをいわゆるページめくり動作でめくると、そのページめくり動作に連動（リンク）して動画や音声等のデータが再生されるように割り付けることもできる。
【００４５】
なお、この編集処理部４内で割付処理されたホワイトページブック・データファイルに基づき、同じく編集処理部４で生成された高解像度の各ページデータからなる面付データ（第１のイメージデータ）は、例えば直接製版フィルムやＣＴＰとして出力されるか、又は一旦ＰＳ形式のデータファイルに変換され、再びＲＩＰ７に与えられる。ＲＩＰ７は、このＰＳ形式のデータファイルに基づき、印刷製版用データを生成してイメージセッタ等の後段の製版工程に供給する。
【００４６】
次に、この編集処理部４内での割付処理及び面付処理について更に詳しく説明する。図４は、面付処理部２０での面付処理を示すフローチャート、図５は、割付処理部１１での割付処理を示すフローチャート、図６は、表示画面上での割付処理を示す図、図７は、図６の割付処理後にページめくり動作を行った様子を示す図、図８は、割付処理に伴い作成された面付データを示す図である。
【００４７】
まず、編集処理部４のイメージ処理部９は、割付処理部１１からの割付情報に基づき、データベース３０から予め格納されている本のイメージでの表示コマンドを有するホワイトページブック・データファイルを読み込み、図６に示すように、表示部１の表示画面領域３２内の表示ウィンドウ３３上にその本のイメージ３４を表示する（Ｓ１０）。なお、この表示ウィンドウ３３は、ビュア付加部１０でホワイトページブック・データファイルに付加された所定のビュア・アプリケーション・ソフトウェアが開かせたものである。イメージ処理部９にホワイトページブック・データファイルが読み込まれると同時に、面付処理部２０は、データベース３０から所定の面付フォーム（本文縦組、本文横組等）のデータを読み込んで、編集処理部４の内部メモリ（図示せず）上に、図８に示すような面付データ３５を展開して用意する（Ｓ１）。なお、この面付データ３５は、実際の製版フィルムやＣＴＰ出力に用いられるため、通常の面付データと同等のデータクオリティを有するものである。
【００４８】
次に、出版物作成システム５０で割付作業を行うオペレータは、入力部３のキーボードやマウス等を用いて、例えばいわゆるドラッグ＆ドロップの入力操作により、画像変換部８から入力された表示用サムネイルデータや、例えば他のアプリケーション・ソフトウェアから送られてきた文字情報、静止画情報、動画情報及び音声情報等の各種情報を、図６に示すように、例えば見開き状態で表示されている本のイメージ３４のページ上の所定の位置に割り付ける（Ｓ１１）。なお、図６で示す本のイメージ３４は、見開き左側のページが１３ページ３８及び右側のページが１４ページ３９で表示されていることとする。
【００４９】
ステップＳ１１で割付処理が行われると、面付処理部２０は、面付データ３５を実際の本のページ順に揃えるページ揃え処理を行う（Ｓ２）。このページ揃え処理の後には、オペレータは、入力部３を用いて実際に印刷出力する用紙の種類やその用紙の色の指定を行う（Ｓ３）。また、このステップＳ２及びＳ３において、全体のページ数とページ毎の用紙の厚さの情報を得ることができ、これらと製本結果の仕上がりの様式から、背表紙のイメージの大きさ（本の厚さや綴じ代の幅等）を特定することができる。次のステップでは、特定されたデータから表紙の色情報をもつイメージファイルを生成し、表紙、背表紙及び裏表紙のレイアウトやデザインを再度一括して行う処理もできる（Ｓ４）。ステップＳ４での処理の後、次のステップで製版の大きさの指定や本の台紙の選択を行う（Ｓ５）。通常、製版の大きさや台紙の選択は、出力機（印刷機）の種類・性能に依存しているが、台紙の種類等に違いがあるため、ステップＳ３及びＳ４では、一版毎のページ数の指定もすることができることとする。ステップＳ４の後には、印刷の際の印刷する紙面の表面と裏面、それぞれの印刷方向に対する関係を決めるいわゆる版かけや断裁のための用紙折の詳細な指定を行う（Ｓ６）。これにより、印刷面の余白を含むページ単位と版の物理的な大きさが決まる。ここで、ノンブル、つめ、柱、マーク、管理ノンブル及びインデックス等の余白情報が含まれていない画像の場合は余白の指定を行い、更に版については、カラーパッチの位置と大きさ、断裁のためのトンボの位置と種類形状の指定を行う（Ｓ７）。なお、ステップＳ２〜Ｓ７までの処理は、主に面付処理におけるパラメータ指定の処理である。
【００５０】
このように、ステップＳ２〜Ｓ７で面付処理のパラメータが指定され、ステップＳ１１で割付処理が行われると、割付処理部１１は、ホワイトページブック・データファイルを更新し（Ｓ１２）、更新が終了したか否かを判断する（Ｓ１３）。更新が終了したと判断された場合、割付処理は終了するが、更新が終了していないと判断された場合は、続いて入力部３からの入力情報の有無等に基づき、割付処理が終了したか否かを判断する（Ｓ１４）。このステップで、割付処理が終了したと判断された場合、同様に割付処理は終了するが、割付処理が終了していないと判断された場合は、現在表示しているページの前後のページへのページめくり処理又は任意のページへのページめくり処理が行われ（Ｓ１５）、ステップＳ１１から再び割付処理が行われる。なお、この割付処理で、予め割り付けるファイルの名前をページの順序毎に、例えば「００００１，００００２，００００３…９９９９９」のように命名し、且つ見開きページの場合は、例えば「００００８Ｗ」等の識別マーク「Ｗ」を付加した命名を行う前処理を実行することもできる。これにより、自動的に一括して割付処理におけるホワイトページブック・データファイルの更新を表示部１の表示画面上に表示せずに処理し、入力されるファイルがなくなった（終了した）ときを更新及び割付の一時終了時とする自動追加処理を行うこともできる。ここでいう一時終了とは、割付処理後に任意に追加するファイルが発生した場合、名前順に割付済みのページとページとの間、又は最後尾のページの後に任意に新しいファイルを追加するために行われるものである。この際、同一名称を有するファイルが再度割付処理された場合には、古いファイルを新しいファイルに差し替える処理も行う。差し替えられた古いファイルは、別の保存領域（保存場所）に保存され、割付処理部１１は、差し替えた旨のログ情報を作成し編集処理部４に出力する。これと同様に、削除したいファイルがある場合は、そのファイル名の一覧テキストファイルを入力として一括削除することもできる。このとき、差し替え処理の場合と同様に、ログとファイルは別の保存領域に保存される。このような自動追加処理が終了した後は、通常の割付処理と同様に任意のページめくり動作により割付状況を確認することができる。
【００５１】
このステップＳ１５で行われるページめくり処理は、図７に示すように、例えば、オペレータが操作するマウスカーソル３６で、表示ウィンドウ３３上に表示されている矢印アイコン３７ａ，３７ｂのうちのいずれか一方（この場合、矢印アイコン３７ａ）をヒット（クリック）すると、そのヒットがあった矢印アイコン３７ａの表示色が変化し、その矢印アイコン３７ａが示す向きの情報がページ操作情報としてイメージ処理部９に送られ、本のイメージ３４のページ（この場合、１４ページ３９）がめくれる表示をする処理である。なお、ページ操作情報としては、紙面の左右どちらかの位置を指示する情報又はキーのオペレーション情報、開くページ番号や章のタイトル等を直接表示する情報等も考えられる。このページめくり動作により、オペレータは、あたかも実際の本に写真等を割り付けているかのような自然な感覚の割付処理を行うことができ、且つ、見開き状態で任意のページが表示されるため、どこに何を割り付けたのか等の配置状況の確認も容易にすることができ、割付作業の時間短縮化、簡易化及び割付ミスの防止等を図ることができる。
【００５２】
なお、上記ステップＳ１５でのページめくり処理に行かずに、ステップＳ１３又はＳ１４で割付処理が終了したと判断された場合、面付処理部２０は、図８に示すような面付データ３５を完成させる（Ｓ６）。
【００５３】
以上のように、割付処理部１１及び面付処理部２０で行われる割付処理及び面付処理により、本のイメージ３４で表示されたページ単位毎のホワイトページデータに表示用データ（第２のイメージデータ）を割り付けるだけで、実際の印刷に使用される面付データを作成することができる。また、例えば図６に示すように、本のイメージ３４の１３ページと１４ページ３９とに跨る状態で割り付けられた文字、画像等の被割付データ４０は、図８に示すように、面付処理部２０の内部メモリ上に展開された面付データ３５上においては、両ページ３８，３９に断裁線までオーバーラップして分割され、割り付けられる。この例では、ホワイトページデータが各ページ単位毎に独立して定義されているため、本のイメージ３４のページを追加／削除等してホワイトページデータを増減させても正確な面付データ３５が作成され、出版物作成作業の高効率化を図ることができる。
【００５４】
図９は、上述したホワイトページブックに割付処理を行って完成された、本の形態で表示される出版物を構成するブック・データファイルの構成を示す図である。同図に示すように、ブック・データファイル４２は、ファイルの見出し部分であるヘッダ４２ａとホワイトデータの各ページデータ４２ｂ１〜４２ｂｎとで全体が構成されている。ヘッダ４２ａには、ファイルのバージョンを示すバージョンデータ４３と、本の形態で表示されたブック・データファイル４２の内容を示すコンテンツデータ４４と、各種制御情報等を示すその他のデータ４５とが格納されている。ブック・データファイル４２の内容を示すコンテンツデータ４４には、例えば出版物の表面及び裏面等の表紙を決定する表紙情報４４ａと、各ページ単位毎の割付データの位置や内容等の詳細情報を示す本文情報４４ｂと、この本文情報４４ｂにリンクされ各ページ毎のホワイトページのページデータにフラグ等を付加して目次として示す目次情報４４ｃと、この目次情報４４ｃ及び本文情報４４ｂに基づき作成された索引情報４４ｄと、別途作成されたサムネイルの各ページ毎に対応した管理情報等を格納するサムネイル情報４４ｅと、その他のデータ４４ｆとが格納されている。
【００５５】
一方、各ページデータ４２ｂ１〜４２ｂｎには、文字、静止画及び動画の割り付けられた領域の位置の座標データ４６ａ〜４６ｃを格納する割付位置情報４６と、テキスト等の形式の文字データ４７と、ＪＰＥＧ等の形式の静止画データ４８と、ＭＰＥＧ（Ｍｏｖｉｎｇ  Ｐｉｃｔｕｒｅ  Ｅｘｐｅｒｔｓ  Ｇｒｏｕｐ）等の形式の動画データ４９と、ＭＰ３（ＭＰＥＧ  Ｍｕｓｉｃ  Ｌａｙｅｒ  ３）等の形式の音声データ５０と、その他のデータ５１とが格納されている。その他のデータ５１には、例えば、表示用サムネイルデータ５２や表示用ページデータ５３のピクセルサイズ情報等が格納されている。このように、各ページデータ４２ｂ１〜４２ｂｎ毎に割付位置情報４６等を備えたブック・データファイル４２が構成されることで、面付処理部２０は、各ページ単位毎の面付データ３５を作成することができると共に、ホワイトページブック上においていわゆる見開きページに対する被割付データ４０の泣き別れに際しても、各ページにおさまるように適切に処理することができるのである。
【００５６】
また、このブック・データファイル４２には、上述したようにビュア付加部１０で所定のビュア・アプリケーション・ソフトウェアが付加されるため、例えば種々のＰＣ等で容易に閲覧することができる。なお、一般の印刷物のために作成されたラスタイメージデータは、本文の文字が小さいため、ＰＣの表示部でそのまま本のイメージで表示させた場合、文字が小さすぎて判別できないことが考えられる。このため、ビュア・アプリケーション・ソフトウェアには、部分拡大機能が備えられていることが望ましい。この場合、例えば表示された本のイメージの拡大すべきエリアをポインティングデバイスなどで指示すると、その部分の拡大イメージが本のイメージに重ねられて表示される。この場合、第２のイメージデータをそのまま拡大して表示しても良いし、拡大表示用の第３のイメージデータを予め作成してリンクさせておいても良い。更に、例えば書き換え可能なタイプの記憶媒体等に記録された完成されたブック・データファイル４２は、編集処理部４で再度編集処理（割付処理や面付処理等）をすることが可能であるため、ページデータの追加や削除等の処理を簡単に行うことができる。また、ブック・データファイル４２は、インターネット等のネットワークを介してユーザの要求に応じて適宜サーバから配信されるものでも良い。この場合、ビュア・アプリケーション・ソフトウェアもユーザの要求に応じてサーバから適宜配信されれば良い。
【００５７】
次に、この電子出版物データを利用したネットワークシステムについて説明する。図１０は、この発明の一実施形態に係るネットワークシステムの構成を示すブロック図である。このネットワークシステム６０は、１台のホストコンピュータ（以下、「ＨＰＣ」とする）６１と、複数台のクライアントコンピュータ（以下、「ＣＰＣ」とする）６２１〜６２ｎとをＬＡＮケーブル又はインターネット等の通信回線やＴＶなどによるオンデマンド型データ放送で接続してなる。なお、ＨＰＣは１台以上であっても良い。ＨＰＣ６１と各ＣＰＣ６２１〜６２ｎとには、上述した編集処理部４で作成された出版物データ（ブック・データファイル）や各種のシステムで双方向通信制御を可能にする所定の通信ソフトウェア等が予め読み込まれ、各ＣＰＣ６２１〜６２ｎの表示装置６３１〜６３ｎの表示画面上には、それぞれ本のイメージ３４１〜３４ｎが表示されている。表示された本のイメージ３４１〜３４ｎは、それぞれのＣＰＣ６２１〜６２ｎからＨＰＣ６１に送信され、同期がとられる。ＨＰＣ６１は、受信したそれぞれの本のイメージ３４１〜３４ｎを所定のサイズに縮小し、所定の位置に並べて表示装置６４の表示画面上に表示する。なお、本のイメージ３４１〜３４ｎを実際の本の形態で表示することは、限られた面積しか有しない表示画面上において表示データに方向性を付与して示すユーザインターフェイス（以下、「ＵＩ／Ｆ」とする）として最も一般的であり、且つ親しみ易い最適のものと考えられるからである。
【００５８】
上述したように、ＨＰＣ６１と各ＣＰＣ６２１〜６２ｎとは、それぞれブック・データファイル（本のイメージ３４１〜３４ｎ）のページデータの送受信に関して同期がとられているため、例えばＣＰＣ６２１で行われたページめくり動作により本のイメージ３４１のページがめくられると、ＨＰＣ６１の表示画面上のＣＰＣ６２１の表示領域Ｒ１に表示されている縮小された本のイメージ３４１が同時に同じ動きでめくられる。また、反対に、ＨＰＣ６１でＣＰＣ６２１〜６２ｎの表示領域に表示されている本のイメージ３４１〜３４ｎを指定してページめくり動作をすると、そのページめくり動作に同期して、選択されたＣＰＣ６２１〜６２ｎの表示画面上に表示されている本のイメージ３４１〜３４ｎが同様にページめくりされる。なお、この集中制御（管理）は、上述した方式のみならず、ＨＰＣに表示情報を蓄積し、ＣＰＣからの要求により随時表示データをＨＰＣからＣＰＣに転送し管理する方式と、ＨＰＣにデータをインストールした後、ＣＰＣとの接続が確立したときにＣＰＣにもＨＰＣから自動的或いは手動で任意に同様のインストールを行う方式等のデータ管理方式或いはＨＰＣとＣＰＣに各々データをインストールする方式が考えられ、実用面上から選択することができる。
【００５９】
このページめくり動作の操作に関しては、上述したようにマウス等のポインティングデバイスを用いて行っても良いが、更に、各表示装置６３１〜６３ｎ及び６４にタッチパネル等の入力装置を採用すれば、このようなページめくり動作もより簡単に行うことができるため、ＨＰＣ６１やＣＰＣ６２１〜６２ｎの操作性は格段に向上する。従って、例えばこのようなネットワークシステムを採用した学校の授業等に、上記の方法で作成された学習テキストブック（ブック・データファイル）を用い、先生がＨＰＣ６１を使用し各生徒がＣＰＣ６２１〜６２ｎを使用するような場合、先生が各生徒を集中制御しつつそれぞれの生徒に合わせて学習テキストの進み具合を調整しながらの学習指導等をすることが可能となる。このように、作成された出版物を所定の構成で構築されたネットワークシステムに採用することにより、１台のＨＰＣによる複数端末（各ＣＰＣ）の集中制御及び１台のＨＰＣと複数端末の同時双方向通信（情報伝送）をすることが可能となる。また、ページめくりの表示に関しては、例えば図１４Ａに示すように、表示部１の表示画面上に表示された「用紙／厚み」設定ダイアログボックス（以下、「設定ＤＢ」とする。）１００により、本のイメージの用紙の厚みを画面上で指示可能とする。この設定ＤＢ１００には、例えば入力の決定・取消を確定するためのコマンドボタン１０１，１０２、用紙の重さを設定するための入力ボックス１０３、用紙の厚みを選択するための選択ボックス１０４〜１０６等が設けられる。各選択ボックス１０４〜１０６内にあるチェックボックス１０４ａ〜１０６ａに入力部３のマウス等を用いてチェックマークを付けると用紙の厚さの選択が決定する。例えば、選択ボックス１０４の「厚い」を選択した場合、図１４Ｂに示すように、ページめくりの遷移状態のイメージは、用紙１０７が直線的にめくられるように変化する。一方、図１４Ｃに示すように、選択ボックス１０６の「薄い」を選択した場合、遷移状態のイメージは、用紙１０７が曲線（カーブ）を描きながらめくられるように変化する。このようなページめくりの遷移状態のイメージの変化は、入力ボックス１０３により設定された用紙の重さによっても自動的に計算されて行われる。これにより、よりリアリティーを追求した本のページめくりイメージの表示をすることが可能となる。
【００６０】
なお、この集中制御（管理）は、上述した教育現場での使用のみならず、複数の大型モニタによる広告（例えば、駅のホームでの広告、デパートや地下街等での広告）や掲示板の一括管理として使用したり、図１１に示すような複数のモニタ６５による大型映像の同期表示システム９５として使用したり、図１２に示すような仕様のモニタ６６による案内システム（例えば、空港や駅での案内システム）として使用することも可能となる。この図１２に示すモニタ６６には、例えば本のイメージ３４が表示される領域の見開き状態の左右ページ３４Ｒ，３４Ｌ上の所定の位置に点字シール６７ａ，６７ｂ等を設け、所定の位置に音声再生ボタン６８を設けたりしているため、視覚障害者等の方々にも容易にページめくりの方向を確認し、そのページの内容を音声ガイドで理解してもらうことができる等、幅広い人々に利用可能な公共性の高い案内システムを実現すること等ができる。
【００６１】
図１３は、この発明の一実施形態に係る他のネットワークシステムの構成を示すブロック図である。このネットワークシステム８０は、１台以上のＨＰＣ８１と、上記ＣＰＣ６２１〜６２ｎの代わりに、例えばＴＶ装置８２、ＶＣＲ（Ｖｉｄｅｏ  Ｃａｓｓｅｔｔｅ  Ｒｅｃｏｒｄｅｒ）８３、電子レンジ８４及び冷蔵庫（図示せず）等の各種家電製品とを、例えばＵＳＢ、ＳＣＳＩ、内部バス等のコンピュータ内部のネットワークや、例えばＬＡＮケーブル、インターネット等の通信回線や、ＴＶなどによるオンデマンド型データ放送等のネットワークシステムで接続してなる。ＨＰＣ８１には、ＣＤ−ＲＯＭ等の記録媒体がセットされ、この記録媒体には、本発明によって作成された電子化された出版物として各家電製品のマニュアルが含まれる。これらのマニュアルには、文字情報、画像情報、音声情報等の他に各家電製品へのコマンド情報が割り付けられている。このネットワークシステム８０では、ＨＰＣ８１のモニタ画面上にて、該当家電製品のマニュアルの該当ページを開きながら、該当箇所に関連するコマンドボタンを操作することにより、ＨＰＣ８１から該当家電製品に関連するコマンドが伝送され、例えばＴＶ装置８２やＶＣＲ８３の予約設定や電子レンジ８４のレシピの内容等による順次動作設定等、各家電製品８２〜８４の設定・制御等を行うことができるようになり、それぞれの家電製品８２〜８４毎に別途行っていた設定・制御を集中的にすることができるようになる。また、家電製品８２〜８４のみならず、通信衛星等の電波や無線移動通信を介してこのネットワークシステム８０に参加している、例えばカーナビゲーション装置（図示せず）の目的地の設定等もすることができる。例えば、ＨＰＣ８１の画面上で記録媒体に記録された電子化された出版物として旅行パンフレット等のイメージデータを見ながら、ポインティングデバイス等により画面上の指示を与えることにより、旅行パンフレットのイメージデータに割り付けられた目的地設定情報がＨＰＣ８１からカーナビゲーション装置に伝送され、目的地設定が可能になる。このように、電子化された出版物を介してＨＰＣ８１から複数の家電製品及びネットワークシステム８０に参加している装置等をコントロールすることができ、機器や装置毎に別々に行っていた個別の設定等を１台のホストで行うことができるＵＩ／Ｆを実現することが可能となる。
【００６２】
以上述べたように、この発明によれば、ラスタイメージデータのみならず、文字、静止画、動画及び音声等の情報を、例えば、実際の出版物の形態で表示されたイメージの各ページに割り付けることができると共に、同時に面付データを作成することができる。このため、割付処理の操作が簡単となり、例えば、見開き状態での割付データの配置状況の確認が容易で、且つ見開きページに跨る画像等の割付を容易にすること等が可能となる。また、ページに割付処理を行うと同時にページ単位毎に面付処理が行われるため、出版物の作成作業の短縮化を図ることができ、出版物の作成ミスやコストを削減することができる。このため、特に、このような出版物の作成過程で生成された割付データや面付データを使用して、他の出版物を作成すれば、データの有効活用を図ることができると共に、出版物制作コストを抑えることが可能となるという効果を奏する。
【００６３】
更に、このような出版物のうち、例えば電子化された出版物をネットワークシステムに用いることで、この出版物のイメージを表示するホスト及びクライアントコンピュータがネットワークを介して出版物のページ情報を任意のプロトコルを用いながら相互に伝送することができ、伝送されたページ情報に基づきホストコンピュータがクライアントコンピュータで表示されている又は表示されるべき出版物のページのイメージを複数のクライアント分縮小して並べて表示することができるため、１台以上のホストコンピュータと複数台のクライアントコンピュータとの同時双方向通信が可能となると共に、１台以上のホストコンピュータによる複数台のクライアントコンピュータの同時制御や確認が可能となるという効果も奏する。
【符号の説明】
【００６４】
１          表示部
２          ＤＴＰ処理部
３          入力部
４          編集処理部
５          データチェック部
６          ＯＣＲ変換処理部
７          ＲＩＰ
８          画像変換部
９          イメージ処理部
１０        ビュア付加部
１１        割付処理部
１２        媒体作成部
１３        ＣＰＵ
１４        ＲＯＭ
１５        ＲＡＭ
１６，３１  バス
１７        入出力部
１８        外部記憶装置
１９        データベース
２０        面付処理部
６０        ネットワークシステム
６１        ＨＰＣ
６２        ＣＰＣ
【図１】
2011204245.tif 000003
【図２】
2011204245.tif 000004
【図３】
2011204245.tif 000005
【図４】
2011204245.tif 000006
【図５】
2011204245.tif 000007
【図６】
2011204245.tif 000008
【図７】
2011204245.tif 000009
【図８】
2011204245.tif 000010
【図９】
2011204245.tif 000011
【図１０】
2011204245.tif 000012
【図１１】
2011204245.tif 000013
【図１２】
2011204245.tif 000014
【図１３】
2011204245.tif 000015
【図１４Ａ】
2011204245.tif 000016
【図１４Ｂ】
2011204245.tif 000017
【図１４Ｃ】
2011204245.tif 000018